(57)【特許請求の範囲】
【請求項１】
接着剤、粘着テープまたはホッチキスを必要とすることなく、事前に裁断された少なくとも一枚の平らなカートンブランクから容易に組み立てられる、穴明きの腰掛式便器装置であり、該腰掛式便器装置が、
板紙または段ボール製の箱体であって、座面となる水平な座面用パネル（１）を上部に有し、該座面用パネル（１）には該箱体の内部空洞と外側を連通させる開口部（２）が備えられているとともに材料の脆化による折り目の稜線（８０、８１、８２、８３；８０ａ、８１ａ、８２ａ、８３ａ；９０）によって、互いにつながっている平らな側面用パネル（１０、１１、１２；１０ａ、１１ａ、１２ａ）と、該側面用パネルから伸びる嵌め込む差し込みロック片タイプの連結手段（５１、５２；５３、５４）と、前記側面用パネル（１１、１１ａ）二枚にそれぞれ伸延接続する底面用パネル（２０、２０ａ）とを備える箱体と、
気体および液体に対して密閉性であり、前記開口部（２）を介して前記箱体の内部空洞の中に広がっている、尿と大便の使いきりの収集袋と
を備えており、
‐前記連結手段（５１、５２；５３、５４）と、該連結手段に対応補完のスリット（５１ａ、５２ａ；５３ａ、５４ａ）との組み合わせによって立ち上げられ、連結される側面用パネル（１０、１０ａ；１２、１２ａ）で構成された、側面の少なくとも二つの二重の仕切り壁を形成し、
‐前記底面用パネル（２０、２０ａ）の被覆によって構成される二重の水平な仕切り壁である底部であり、該二枚の底面用パネル（２０、２０ａ）が、二枚のうち一方の底面用パネル（２０ａ）から伸びた差し込みロック片（６０、６１）の少なくとも一つと、もう一方の底面用パネル（２０）にある対応補完のスリット（６０ａ、６１ａ）の少なくとも一つとによって連結される底部を備え、
‐前記箱体の対向する垂直方向の稜線（８１、８１ａ）にそれぞれ設けられた二つのＶ字形のスリット（７０、７１）であり、Ｖ字の先端が下方に向けられ、Ｖ字の二本の分枝スリットがそれぞれ、前記垂直方向の稜線（８１、８１ａ）にそれぞれつながっている側面用パネル（１０、１１；１０ａ、１１ａ）の総体において、前記座面用パネル（１）に向かって斜めに伸び、側面の二重の仕切り壁の各内部の側面用パネル（１２、１２ａ）が半Ｖ字形のスリット（７０ａ、７１ａ）を有し、前記二重の仕切り壁の形成時に、被覆した外側の側面用パネル（１０、１０ａ）のＶ字の分枝スリットと向き合ってＶ字の分枝スリットが開かれるようになっている、スリットを備え、
‐前記収集袋が気体および液体に対して密閉性であり、とりわけプラスチック材料製であり、該収集袋の上方周辺部が前記座面用パネル（１）の全体を覆い、ゲル化剤を含む該収集袋の底部が前記開口部（２）を通って前記箱体の内部空洞内に伸びており、該収集袋が、使用時に、Ｖ字の前記スリットによって、とりわけ該収集袋の開いている頂部の長さ全体に渡る縁部に挿入された少なくとも一つのスライド式の紐を介して、前記箱体に固定されることを特徴とする、腰掛式便器装置。
【請求項２】
前記座面用パネル（１）が多角形であり、偶数２ｎ個の辺を有し、箱体の軸心を垂直の対称軸として有しており、ｎが２以上の整数であり、とりわけ２、３または４の値であることを特徴とする、請求項１に記載の腰掛式便器装置。
【請求項３】
前記座面用パネル（１）が、それぞれｎ＋１個のパネルからなる少なくとも二つのパネル列につながっており、該二つのパネル列が、
パネルＮｏ１とパネルＮｏｎ＋１との間に位置する側面用パネル（１１）を介して折り目の稜線（８０）に沿っている、側面用パネル（１０、１１、１２）からなる第一のパネル列と、
第一のパネル列と類型で、該第一のパネル列とは角度２π／ｎだけ角度がずれている、側面用パネル（１０ａ、１１ａ、１２ａ）からなる少なくとも一つの第二のパネル列であり、前記角度がとりわけπ／２（ｎが４であるとき）、２π／３（ｎが３であるとき）またはπ（ｎが２であるとき）である第二のパネル列であることを特徴とする、請求項２に記載の腰掛式便器装置。
【請求項４】
側面の二重の仕切り壁の数が２（ｎが２であるとき）からｎ（ｎが２より大きいとき）であることと、
前記二重の仕切り壁が、一方のパネル列の第一の側面用パネル（１０）と、角度をつけて続いている他方のパネル列の最後の側面用パネル（１２ａ）とが連結することで実現されることを特徴とする、請求項２または請求項３に記載の腰掛式便器装置。
【請求項５】
蓋用パネル（５）をさらに含み、該蓋用パネル（５）が水平の折り目の稜線によって前記座面用パネル（１）につながっており、該蓋用パネルの閉止時には、該座面用パネル（１）に設けられた対応するスリット（３、３ａ）に直角に嵌め込まれるようになっている該蓋用パネル（５）から伸びた差し込みロック片（４、４ａ）を少なくとも一つを具備することを特徴とする、請求項１に記載の腰掛式便器装置。
【請求項６】
前記座面用パネル（１）が長方形あるいは正方形（ｎ＝２）であり、該パネルが前記第一のパネル列の中央の側面用パネル（１１）につなげている折り目（８０）を介して、三つの側面用パネル（１０、１１、１２）を備えた前記第一のパネル列につながっており、また、前記座面用パネルが前記第二のパネル列の中央パネル（１１ａ）につなげている折り目（８０ａ）を介して、角度πだけずらされている対向する第二のパネル列（１０ａ、１１ａ、１２ａ）につながっており、側面の二重の仕切り壁が、両端の側面用パネル（１０、１２ａ；１０ａ、１２）による二対二の連結によって実現されていることを特徴とする、請求項３に記載の腰掛式便器装置。
【請求項７】
前記収集袋が、プラスチック材料製、または、外側が紙、不織布または織布であり、内部がプラスチック材料製というタイプの複合材料製であることと、該収集袋が尿または大便の水分と接触したときに膨張するゲル化剤を含んでいることで、前記尿を吸収し、前記大便を覆うようになっていることを特徴とする、請求項１に記載の腰掛式便器装置。
【請求項８】
悪臭を除去するために、前記収集袋が、さらに脱臭剤、とりわけカーボンブラックを含んでいることを特徴とする、請求項７に記載の腰掛式便器装置。
【請求項９】
請求項１〜請求項８のいずれか一つに記載の腰掛式便器装置の箱体を組み立てるために使用することのできる板紙または段ボール製の事前に裁断された平らなカートンブランクであり、
‐組立後に前記収集袋を受けるようになった開口部（２）を備え、場合によっては、閉止位置で蓋用パネル（５）を維持することを可能にするスリット（３、３ａ）を少なくとも一つ備えている、正方形の座面用パネル（１）と、
‐組立後に折り目の稜線を構成することになる二本の折り目の線を有する、三つの側面用パネル（１０、１１、１２）からなる第一のパネル列であり、一つの線（８１）が側面用パネル（１０）と側面用パネル（１１）の間、もう一つの線（８２）が側面用パネル（１１）と側面用パネル（１２）の間にあり、前記第一のパネル列が、前記座面用パネル（１）と側面用パネル（１１）の間に位置する折り目（８０）の線によって、該座面用パネル（１）につながっている、第一のパネル列と、
‐前記第一のパネル列と類型で、角度πだけずれている三つの側面用パネル（１０ａ、１１ａ、１２ａ）からなる第二のパネル列であり、一方では、第一のパネル列の端の側面用パネル（それぞれ１０と１２）がそれぞれ該側面用パネル（それぞれ１０と１２）から伸びた差し込みロック片（それぞれ５１と５２）を備え、該差し込みロック片が第二のパネル列の中央の側面用パネル（１１ａ）と対応補完の端のパネルの折り目の線（それぞれ８２ａと８１ａ）の近くに配置されている対応するスリット（それぞれ５１ａおよび５２ａ）に連結するために嵌め込まれるようになっており、他方では、第二のパネル列の端の側面用パネル（それぞれ１２ａおよび１０ａ）がそれぞれ該側面用パネル（それぞれ１０と１２）から伸びた別の差し込みロック片（それぞれ５３と５４）を備え、該差し込みロック片が、第一のパネル列のパネルの対応する折り目の線（それぞれ８１と８２）の近傍に配置されている対応するスリット（それぞれ５３ａと５４ａ）に嵌め込まれるようになっている、第二のパネル列と、
‐前記座面用パネル（１）に対向する側にある第一のパネル列の中央パネル（１１）に、折り目の線（８３）を介してつながっている底面用パネル（２０）と、第二のパネル列の中央の側面用パネル（１１ａ）につながっている対応補完の底面用パネル（２０ａ）とであり、前記底面用パネル（２０、２０ａ）が組立後に箱体の底部の二重の仕切り壁を形成し、該底面用パネル（２０、２０ａ）から伸びた差し込みロック片（６０、６１）が少なくとも一つ、二枚の底面用パネル（２０、２０ａ）の一方に設けられ、対応するスリット（６０ａ、６１ａ）が該差し込みロック片と連結するためにもう一方のパネルに設けられている底面用パネル（２０、２０ａ）と、
‐前記座面用パネル（１）に折り目の線（９０）を介してつながっている蓋用パネル（５）であり、該蓋用パネル（５）が前記折り目の線（９０）の回りを回転することがきる蓋となり、該第一と第二のパネル列の間に含まれる隔たりに配置され、前記蓋が、閉止時に、前記座面用パネル（１）の対応するスリット（３、３ａ）と直交するように嵌め込まれるための差し込みロック片（４、４ａ）を少なくとも一つ備えている蓋用パネルと、
を備えていることを特徴とするカートンブランク。
【請求項１０】
水との接触によって膨張するゲル化剤が悪臭を除去するための脱臭剤、とりわけカーボンブラックと組み合わされているものを中に含む、気体および液体に対して密閉性の収集袋を備えている、請求項１〜請求項８のいずれか一つに記載の腰掛式便器装置が用いられることを特徴とする、腰掛式便器となる箱体の利用法。
【発明の詳細な説明】
【技術分野】
【０００１】
本発明は、新規の産業製品として、一方では、板紙または段ボール製の事前に裁断された平らなカートンブランクから、接着剤、粘着テープ、またはホッチキスを使わずに作られ、組み立てられる箱体と収集袋で構成された、穴明きの腰掛式便器装置に関するものであり、他方では、前記カートンブランクに関するものである。また、本発明は、悪臭を除去するためのこのような便器装置の利用法にも関するものである。
【背景技術】
【０００２】
野外での活動時に、グループで田舎に行った学童が、（１）木陰や雑木林の中で自然の欲求を足すことがあり、（２）汚物（尿、大便および拭くための紙）を地面に残すことがあることは誰もが知っている。また、演習あるいは軍事行動の際、軍隊が（１）彼らの汚物を収集するために溝を掘り、（２）陣営を解く前に土で溝を覆い隠すことも知られている。いずれの場合にも、土壌の汚染、特にヒトや動物に感染しうる黄色ブドウ球菌または（より強力な）大便連鎖球菌の株による汚染という重大なリスクがある。
【０００３】
田舎に移動した際の子供および／または成人の自然な欲求のために、重くかさばる化学的便器の個室を運ぶのは特に困難である。
【０００４】
この困難性を解消するために、その場で簡易な箱体を組み立てるために事前に裁断されたカートンブランクを用いることが考えられており、その箱体の上、下、および側面の仕切り壁がそれぞれ単一のパネルで構成され、その上部の仕切り壁に開口部が設けられおり、その開口部に汚物（尿、大便および紙）を収集するための袋を置くことができるようになっている。しかし、このタイプの箱体の多くには不都合がある。たとえば、
‐アメリカンと呼ばれる箱体は一つのリング状の枠と二つのカバーで構成され、二つのカバーを枠に固定するためには接着剤を持ち運ぶ必要があり、
‐収集用と呼ばれる箱体は、使う時に交差させる四つの折り返し部を具備したボディと一つのカバーを備えており、成人の体重で撓み、不可逆的に変形してしまう。
【０００５】
また、欧州特許第０９４８３０４号明細書によって、使いきりの汚物の収集袋が知られており、その収集袋は密閉性で、前記汚物に由来する水分の存在によって膨張するゲル化剤を含んでいることで、（１）病人、寝たきりの人、障害者を対象とした便器を覆い、（２）患者の汚物を含んだ収集袋を、前記収集袋の開口部に沿った縁部に設置されている少なくとも一つのスライド式の紐（締め付け用の紐）によって閉じ、次に締め付け（何度も巻き、収集袋の上部であり、吸収され、覆われた汚物の上の部分に前記紐で少なくとも一回結ぶ）、（３）便器を汚すことなく便器から前記収集袋を抜き取り、そして（４）使われた収集袋を定期的に焼却するようになっている。前記欧州特許第０９４８３０４号明細書による便器用の収集袋は病院で働く人から非常に高く評価されている。
【０００６】
接着剤や、リールと粘着テープ（粘着物質が非常にべたつき、当業者は「強烈に粘着質の」粘着物質と呼ぶ）、あるいはホッチキスとその針を持ち運び、利用する必要なく、（ｉ）上述した欧州特許第０９４８３０４号明細書に指示されているような前記ゲル化剤を含んだ密閉性の収集袋を備え、（ｉｉ）利用者の体重に耐えうる、便器となる箱体をその場で組み立てるための平らなカートンブランクを整えることが理想である。
【発明の概要】
【発明が解決しようとする課題】
【０００７】
本発明によって我々は上述した不都合を解消し、望まれる理想に応える製品を実現するための新しい技術的解決法を提案する。この目的は、折り曲げることと連結させることによって、
‐収集袋を受けることを目的とした上部の開口部と、
‐対向する、あるいは角度をつけて間隔を開けられた、側面の少なくとも二つの二重の仕切り壁と、
‐底部の二重の仕切り壁と、
を有する箱体を利用することで達成される。
【課題を解決するための手段】
【０００８】
本発明の第一の態様によると、接着剤、粘着テープまたはホッチキスを必要とすることなく、事前に裁断された少なくとも一枚の平らなカートンブランクから容易に組み立てられる、穴明きの腰掛式便器装置が提案されるものであり（便宜的に図面の符号を考慮する）、該腰掛式便器装置は、
板紙または段ボール製の箱体であって、座面となる水平な座面用パネル（１）を上部に有し、該座面用パネル（１）には該箱体の内部空洞と外側を連通させる開口部（２）が備えられているとともに材料の脆化による折り目の稜線（８０、８１、８２、８３；８０ａ、８１ａ、８２ａ、８３ａ；９０）によって、互いにつながっている平らな側面用パネル（１０、１１、１２；１０ａ、１１ａ、１２ａ）と、該側面用パネルから伸びる嵌め込む差し込みロック片タイプの連結手段（５１、５２；５３、５４）と、前記側面用パネル（１１、１１ａ）二枚にそれぞれ伸延接続する底面用パネル（２０、２０ａ）とを備える箱体と、
気体および液体に対して密閉性であり、前記開口部（２）を介して前記内部空洞の中に広がっている、使いきりの尿と大便の収集袋と
を備えており、
‐前記連結手段（５１、５２；５３および５４）と、該連結手段に対応補完のスリット（５１ａ、５２ａ；５３ａ、５４ａ）との組み合わせによって立ち上げられ、連結される側面用パネル（１０、１０ａ；１２、１２ａ）で構成された、側面の少なくとも二つの二重の仕切り壁を形成し、
‐前記底面用パネル（２０、２０ａ）の被覆によって構成される二重の水平な仕切り壁である底部であり、該二枚の底面用パネル（２０、２０ａ）が、二枚のうち一方の底面用（２０）から伸びた差し込みロック片（６０、６１）の少なくとも一つと、もう一方の底面用パネル（２０ａ）にある対応補完のスリット（６０ａ、６１ａ）の少なくとも一つによって連結される底部を備え、
‐前記箱体の対向する垂直方向の稜線（８１、８１ａ）にそれぞれ設けられた二つのＶ字形のスリット（７０、７１）であり、Ｖ字の先端が下方に向けられ、Ｖ字の二本の分枝スリットがそれぞれ、前記垂直方向の稜線（８１、８１ａ）にそれぞれつながっている側面用パネル（１０、１１；１０ａ、１１ａ）の総体において、前記座面用パネル（１）に向かって斜めに伸び、側面の二重の仕切り壁の各内部のパネル（１２、１２ａ）が半Ｖ字形のスリット（７０ａ、７１ａ）を有し、前記二重の仕切り壁の形成時に、被覆した外側の側面用パネル（１０、１０ａ）のＶ字の分枝スリットと向き合ってＶ字の分枝スリットが開かれるようになっている、スリットを備え、
‐前記収集袋が気体および液体に対して密閉性であり、とりわけプラスチック材料製であり、該収集袋の上方周辺部が前記座面用パネル（１）の全体を覆い、ゲル化剤を含む該収集袋の底部が前記開口部（２）を通って前記箱体の内部空洞内に伸びており、該収集袋が、使用時に、Ｖ字の前記スリットによって、とりわけ該収集袋の開いている頂部の長さ全体に渡る縁部に挿入された少なくとも一つのスライド式の紐を介して、前記箱体に固定されることを特徴としている。
【０００９】
第二の態様によると、本発明の便器装置の箱体を組み立てるために使用できる、板紙または段ボール製の事前に裁断された平らなカートンブランクが提案され、該カートンブランクは、
‐組立後に前記収集袋を受けるようになっている開口部（２）を備え、場合によっては、閉止位置または折り畳まれた位置で蓋用パネル（５）を維持することを可能にする少なくとも一つのスリット（３、３ａ）を備えている、正方形の中央の座面用パネル（１）と、
‐組立後に折り目の稜線を構成するようになっている二本の折り目の線を有する、三つの側面用パネル（１０、１１、１２）からなる第一のパネル列であり、一つの線（８１）が側面用パネル（１０）と側面用パネル（１１）の間、もう一つの線（８２）が側面用パネル（１１）と側面用パネル（１２）の間にあり、前記第一のパネル列が、前記座面用パネル（１）と側面用パネル（１１）の間に位置する折り目（８０）の線によって、前記座面用パネル（１）につながっている、第一のパネル列と、
‐前記第一のパネル列と類型で、角度πだけずらされている三つの側面用パネル（１０ａ、１１ａ、１２ａ）からなる第二のパネル列であり、一方では、第一のパネル列の端の側面用パネル（それぞれ１０と１２）がそれぞれ該側面用パネルから伸びた差し込みロック片（それぞれ５１と５２）を備え、該差し込みロック片が、第二のパネル列の中央の側面用パネル（１１ａ）と対応補完の端のパネルの折り目の線（それぞれ８２ａと８１ａ）の近くに配置されている、対応するスリット（それぞれ５１ａと５２ａ）に連結するために嵌め込まれるようになっており、他方では、第二のパネル列の端の側面用パネル（それぞれ１２ａと１０ａ）がそれぞれ該側面用パネルから伸びた別の差し込みロック片（それぞれ５３と５４）を備え、該差し込みロック片が、第一のパネル列のパネルの対応する折り目の線（それぞれ８１と８２）の近傍に配置された対応するスリット（それぞれ５３ａと５４ａ）に嵌め込まれるようになっている、第二のパネル列と、
‐折り目の線（８３）を介して、座面用パネル（１）の反対側にある、第一のパネル列の中央の側面用パネル（１１）とつながっている底面用パネル（２０）と、第二のパネル列の中央の側面用パネル（１１ａ）につながっている対応補完の底面用パネル（２０ａ）とであり、前記底面用パネル（２０、２０ａ）が組立後に、箱体の底部の二重の仕切り壁を形成し、該底面用パネル（２０、２０ａ）から伸びた差し込みロック片（６０、６１）が少なくとも一つ、二枚の底面用パネル（２０、２０ａ）の一方に設けられ、対応するスリット（６０ａ、６１ａ）が該差し込みロック片と連結するようにもう一方の底面用パネルに設けられている、底面用パネルと、
‐折り目の線（９０）によって前記座面用パネル（１）につながっている蓋用パネル（５）であり、該蓋用パネル（５）が前記折り目の線（９０）の回りを回転することのできる蓋となり、該第一および第二のパネル列の間に含まれる隔たりに配置され、前記蓋用パネル（５）が、閉止時に、前記座面用パネル（１）の対応するスリット（３、３ａ）と直交するように嵌め込まれるための差し込みロック片（４、４ａ）を少なくとも一つ備えている蓋用パネル（５）と、
を含むことを特徴としている。
【００１０】
さらに第三の態様によると、便器となる箱体の新しい利用法が提供されるものであり、前記新しい利用法は、気体および液体に対して密閉性の収集袋を備えた本発明の装置が利用され、該収集袋において、水との接触によって膨張するゲル化剤が、悪臭（尿および大便の不快で耐え難い臭い）を除去するために、脱臭剤、とりわけカーボンブラックと組み合わされていることを特徴としている。
【図面の簡単な説明】
【００１１】
【図１】本発明に係る腰掛式便器装置を組み立て、連結させるための、本発明による平らなカートンブランクを示している。
【図２】本発明に係る腰掛式便器装置の便器となる箱体の透視図を示している。
【発明を実施するための最良の形態】
【００１２】
本発明に係る便器装置の座面用パネル（１）は、多角形の座面となるものであり、偶数２ｎ個の辺と箱体の軸心を垂直の対称軸として有しており、ｎは２以上の整数、とりわけ２、３または４を値としてとる。好ましい値はｎ＝２であり、したがって前記座面用パネル（１）は長方形あるいは正方形である。
【００１３】
さらに、前記座面用パネル（１）はそれぞれがｎ＋１個のパネルからなる少なくとも二つのパネル列につながっており、該パネル列とはつまり、
パネルＮｏ１（１０）とＮｏｎ＋１（１２）との間に位置する側面用パネル（１１）を介して折り目の稜線（８０）に沿っている、各側面用パネル（１０、１１、１２）からなる第一のパネル列と、
第一のパネル列と類型で、該第一のパネル列とは角度２π／ｎだけ角度がずれている、各側面用パネル（１０ａ、１１ａ、１２ａ）からなる少なくとも一つの第二のパネル列であり、前記角度がとりわけπ／２（ｎが４であるとき）、２π／３（ｎが３であるとき）またはπ（ｎが２であるとき）である第二のパネル列である。
【００１４】
好適には、側面の二重の仕切り壁の数は、２（ｎが２であるとき）からｎ（ｎが２より大きいとき）であり、前記二重の仕切り壁は、一方のパネル列の最初の側面用パネル（１０）と、角度をつけて続いている他方のパネル列の最後の側面用パネル（１２ａ）とが連結することで実現される。
【００１５】
好ましい実施態様によると、本発明に係る腰掛便器装置は、座面用パネル（１）が長方形あるいは正方形（ｎ＝２）であり、該座面用パネルが前記第一のパネル列の中央の側面用パネル（１１）につなげている折り目（８０）を介して三つの側面用パネル（１０、１１、１２）を備えた前記第一のパネル列とつながっており、また、該座面用パネルが前記第二のパネル列の中央の側面用パネル（１１ａ）につなげている折り目（８０ａ）を介して、角度πだけ角度がずれた、対向する第二のパネル列（１０ａ、１１ａ、１２ａ）につながっており、側面の二重の仕切り壁が両端の側面用パネル（１０、１２ａ；１０ａ、１２）の二対二の連結によって実現されることを特徴としている。
【００１６】
三つの側面用パネル（１０、１１、１２）からなる第一のパネル列において、中央の側面用パネル（１１）は折り目の稜線（８０）を介して座面用パネル（１）につながっている。前記第一のパネル列が前記座面用パネル（１）とつながることを可能にしているのはこの中央の側面用パネル（１１）であって、なぜなら、前記中央の側面用パネル（１１）はまた、折り目の稜線（８１）を介して端の側面用パネルの一方（１０）と、折り目の稜線（８２）を介してもう一方の側面用パネル（１２）にもつながっているからである。
【００１７】
側面用パネル（１０ａ、１１ａ、１２ａ）からなる第二のパネル列において、中央の側面用パネル（１１ａ）は同様に配置されている。該中央の側面用パネル（１１ａ）は折り目の稜線（それぞれ８０ａ、８１ａ、８２ａ）によって側面用パネル（それぞれ１、１０ａ、１２ａ）につながっている。
【００１８】
本発明に係る便器装置はさらに、水平の折り目の稜線（９０）を介して座面用パネル（１）につながっている蓋用パネル（５）で構成される蓋を含むことができ、該蓋用パネル（５）は、該蓋用パネル（５）の閉止時に、前記座面用パネル（１）に設けられている対応するスリット（３、３ａ）と直交するように嵌め込まれるようになっている、該蓋用パネル（５）から伸びた差し込みロック片（４、４ａ）を少なくとも一つ具備している。
【００１９】
場合によっては、側面用パネルの第一および第二のパネル列の少なくとも一方に、利用者の体重に対する箱体の耐久力を向上させための折り返し部（３０、３１）を設けることもできる。図１において、第一の折り返し部（３０）は折り目の稜線によって端の側面用パネル（１２ａ）につながっており、第二の折り返し部（３１）は第二のパネル列の端の側面用パネル（１０ａ）につながっている。
【００２０】
Ｖ字形のスリット（それぞれ７０と７１）が、そのＶ字の先端が折り目の稜線（それぞれ８１ａと８２）に配置され、両分枝スリットが座面用パネル（１）に向かって斜め上方に伸びているものであって、端の側面用パネル（それぞれ１２と１２ａ）の縁部（それぞれ９１と９１ａ）の近傍に設けられた半Ｖ字形のスリット（それぞれ７０ａと７１ａ）とともに、収集袋（ここでは図示せず）を腰掛式便器となる箱体に固定するのに用いることで、座面用パネル（１）の全体を頂点の部位で被覆するようになっている。収集袋は、その底部が開口部（２）を介して腰掛式便器となる箱体の内部空洞に入り込んでおり、使用時には、上述したスライド式の紐によって前記箱体と連結するようになっており、その紐が前記収集袋の縁部あるいは前記収集袋の開いた頂部の長さ全体にわたって配置されている縁かがりに収納されている。対向する各スリット（７０、７０ａ；７１、７１ａ）に嵌め込むのは、このスライド式の紐である。
【００２１】
使いきり用の収集袋は、気体および液体に対して密閉性であり、プラスチック材料製、または、外側が紙、不織布または織布で、内部がプラスチック材料製のタイプの複合材料製であり、前記収集袋は尿または大便の水分と接触することで膨張するゲル化剤を含んでいることで、前記尿を吸収し、前記大便を覆うようになっている。ゲル化剤は上述した欧州特許第０９４８３０４号明細書で指示されているようなポリアクリル酸塩とすることができる。また、ゲル化剤はポリウレタン粒子または細かく粉砕されたコロイド状のシリコン粒子で構成することもできる。この細かく粉砕されたコロイド状のシリコン粒子の利点は、脱臭効果を有することにある。しかし、カーボンブラックの脱臭効果の方が前記シリコン粒子の効果より高い。
【００２２】
本発明に係る便器装置は、（ｉ）利用可能な清潔なトイレのない場所に行った学童や軍隊のグループ、そして（ｉｉ）工事作業員に対して特に有効である。移動の際、一つまたは複数の板紙または段ボール製の平らなカートンブランクと、期間と必要となる人数について統計的に十分な量の収集袋を持ち運び、時が来れば一つまたは複数の箱体を組み立てる。
【００２３】
使用後には、収集袋の開いた頂部をスライド式の紐で閉じ、この頂部の下方で前記紐を巻き、そして少なくとも一回結ぶだけで十分である。そしてこの収集袋は箱体の内部空洞に捨てられるのであり、なぜなら、特に脱臭剤をゲル化剤と組み合わせているときには悪臭がないからである。最後に、箱体とその内容物はその日の夜または翌日焼却される。
【符号の説明】
【００２４】
１          座面用パネル
２          開口部
３、３ａ    スリット
４、４ａ    差し込みロック片
５          蓋用パネル
１０、１０ａ、１１、１１ａ、１２、１２ａ  側面用パネル
２０、２０ａ  底面用パネル
３０、３１    折り返し部
５１、５２、５３、５４          連結手段
５１ａ、５２ａ、５３ａ、５４ａ  スリット
６０、６１    差し込みロック片
６０ａ、６１ａ    スリット
７０、７１        Ｖ字形のスリット
７０ａ、７１ａ    半Ｖ字形のスリット
８０、８０ａ、８１、８１ａ、８２、８２ａ、８３、８３ａ、９０  稜線
９１、９１ａ    縁部
【先行技術文献】
【特許文献】
【００２５】
【特許文献１】欧州特許第０９４８３０４号明細書
【図１】
0005485874.tif 000002
【図２】
0005485874.tif 000003